(57)【要約】【課題】放電現象を利用して空気中にイオンを発生させるイオン発生装置において、放電により生じるノイズを簡単な構成で低減する。【解決手段】所定の電圧が印加されることにより放電し、イオンを発生する電極パネルを有するイオン発生装置において、イオン発生素子の電極パネル１を接地することによりイオン発生時におけるイオン発生素子からのノイズの発生を抑止するノイズ発生抑止手段１２，１３，１４を設けた。ノイズ発生抑止手段１２、１３、１４によって電極パネル１が接地され、イオン発生時におけるノイズが低減される。【選択図】  図１
2006073474.tif 000002
【特許請求の範囲】
【請求項１】
所定の電圧が印加されることにより放電しイオンを発生する電極パネルを有するイオン発生素子を備えたイオン発生装置において、
前記電極パネルを接地することによりイオン発生時における前記イオン発生素子からのノイズの発生を抑止するノイズ発生抑止手段が設けられたことを特徴とするイオン発生装置。
【請求項２】
前記ノイズ発生抑止手段は、
前記電極パネルに設けられた電極パネル側接地電極と、
装置本体内に設けられた回路基板における基板側接地電極と、
これら両接地電極同士を電気的に接続する接続線と
で構成されたことを特徴とする請求項１に記載のイオン発生装置。
【請求項３】
前記ノイズ発生抑止手段は、
前記電極パネルに設けられた電極パネル側接地電極と、
前記電極パネルに設けられて該電極パネルを加熱するヒーターに接続されたヒーター抵抗用接地電極と、
これら両接地電極同士を電気的に接続する接続線と
で構成されたことを特徴とする請求項１に記載のイオン発生装置。
【請求項４】
前記電極パネル側接地電極は、前記電極パネルの表面にループ状のパターンで形成されたことを特徴とする請求項２又は３のいずれか一に記載のイオン発生装置。
【請求項５】
前記電極パネル側接地電極は、前記電極パネルの裏面にループ状のパターンとして形成されたことを特徴とする請求項２又は３のいずれか一に記載のイオン発生装置。
【請求項６】
前記パターンは、前記電極パネルに導電体を貼着することで構成されたものであることを特徴とする請求項４又は５のいずれか一に記載のイオン発生装置。
【請求項７】
前記パターンは、前記電極パネルに導電体を印刷することで構成されたものであることを特徴とする請求項４又は５のいずれか一に記載のイオン発生装置。
【発明の詳細な説明】
【技術分野】
【０００１】
本発明は、放電現象を利用して空気中にイオンを発生させるイオン発生装置に関し、特に、ノイズ対策を施したイオン発生装置に関する。
【背景技術】
【０００２】
正イオン及び負イオンには空気中に浮遊する細菌や有害物質を殺菌除去する作用のあることが知られている。近年、この作用を利用して室内空気の浄化や消臭を行うイオン発生装置が種々開発され市販されている。このイオン発生装置は、所定の高電圧を印加することによって放電を起こし、その放電によって空気中に上記正負イオンを発生させるイオン発生素子を備えたものである（例えば、特許文献１参照）。
【０００３】
そのイオン発生装置の一つとして、ケースの上面開口部に、上記イオン発生素子としての電極パネルをケース外部に露出させて設け、この電極パネルに所定の高電圧を印加することにより放電を起こさせて正負イオンを発生させるタイプのものが知られている。
【０００４】
図１８及び図１９は、従来のイオン発生装置の一例を示し、図１８は装置の内部構造を示す概略斜視図、図１９はその断面図である。
【０００５】
このイオン発生装置は、上面に開口部を有するケース２と、このケース２の開口部に装着された電極パネル１と、この電極パネル１に高電圧を印加するためのトランスなどの電子部品４〜６を搭載しケース２内に収納された回路基板３と、電極パネル１の裏面に設けられた電極パネル１を加熱するヒーターとしての抵抗９とを備えたものである。なお、図中の符号７、８は、回路基板３と電極パネル１とを電気的に接続し、回路基板３上の電子部品４〜６によって発生させた高電圧を電極パネル１に印加するための各接続線を示す。符号１０、１１は、回路基板３から抵抗９に電流を供給するための各接続線を示す。
【０００６】
このようになるイオン発生装置は、電源を投入することにより回路基板３の電子部品４〜６が高電圧を発生し、これが接続線７、８を介して電極パネル１に印加され、これによって電極パネル１が放電を起こして空気中に正負イオンを発生させる。その間、抵抗９は発熱することで電極パネル１を加熱し、空気中の湿気や電極パネル１の表面に生じる結露などによって正負イオンが発生しにくくなる現象を防止する。
【特許文献１】特開２００４−６２９６号公報（第９−１０頁、図５−図７）
【発明の開示】
【発明が解決しようとする課題】
【０００７】
従来のイオン発生装置は、上述したように、電極パネル１の放電現象を利用して空気中に正負イオンを発生させるものであることから、電極パネル１からは放電に伴い電磁波が放射されることになる。ところが、この電磁波は、イオン発生装置の近隣に置かれた、例えばテレビジョン受像機やラジオなどの電化製品にとってはノイズとなる。このため、そのノイズがそれらの電化製品の誤動作を招来するといった問題があった。
【０００８】
このようなノイズの対策としてイオン発生装置の周囲を金属などの導体で覆い、ノイズを遮蔽することが考えられる。しかし、そのような方法では、発生させたイオンもノイズとともに遮蔽されてしまい、イオンを広く放出できないといった問題がある。したがって、これまで有効なノイズ対策が採られていなかったのが現状であった。
【０００９】
本発明は、上記問題点を解決するもので、放電に起因するノイズの発生を抑止したイオン発生装置を提供することを目的とする。
【課題を解決するための手段】
【００１０】
上記目的を達成するため、本発明のイオン発生装置は、所定の電圧が印加されることにより放電しイオンを発生する電極パネルを有するイオン発生素子を備えたイオン発生装置において、前記電極パネルを接地することによりイオン発生時における前記イオン発生素子からのノイズの発生を抑止するノイズ発生抑止手段が設けられたことを特徴とする。
【００１１】
本発明によれば、ノイズ発生抑止手段により電極パネルが接地され、これにより電磁波が遮蔽される結果、イオン発生時にイオン発生素子から発生するノイズが抑止される。
【００１２】
また、前記ノイズ発生抑止手段は、前記電極パネルに設けられた電極パネル側接地電極と、装置本体内に設けられた回路基板における基板側接地電極と、これら両接地電極同士を電気的に接続する接続線とで構成されていてもよい。
【００１３】
この構成によると、既存の基板側接地電極を利用することになるため、構成が簡単である。
【００１４】
また、前記ノイズ発生抑止手段は、前記電極パネルに設けられた電極パネル側接地電極と、前記電極パネルに設けられて該電極パネルを加熱するヒーターに接続されたヒーター抵抗用接地電極と、これら両接地電極同士を電気的に接続する接続線とで構成されていてもよい。
【００１５】
この構成によると、ヒーターは既存であり、このヒーターを利用して電極パネル側接地電極を接地しているので、構成が簡単である。
【００１６】
また、前記電極パネル側接地電極は、前記電極パネルの表面にループ状のパターンで形成されていてもよい。また、前記電極パネル側接地電極は、前記電極パネルの裏面にループ状のパターンとして形成されていてもよい。電極パネルの裏面に電極パネル側接地電極を設けた場合には、万一、イオン発生装置内で異常が発生し、電極パネル側接地電極に電圧が発生しても、人はその部分に接触することができないので、感電事故を起こすことがない。
【００１７】
また、前記パターンは、前記電極パネルに導電体を貼着することで構成されていてもよいし、前記電極パネルに導電体を印刷することで構成されていてもよい。印刷によって導電体を電極パネルに設ける場合には、導電体を接着剤などで貼着する作業がないので、その分イオン発生装置の製作が容易であり、生産性、作業性が向上する。
【発明の効果】
【００１８】
本発明のイオン発生装置は、イオン発生時に放電により放射されるノイズを抑止する手段を設けているので、イオン発生装置から放射されるノイズが低減される。したがって、イオン発生装置の近くに置かれた電化製品が誤動作するのが防止される。
【００１９】
また、本発明のイオン発生装置は、電極パネルに接地電極を設け、基板側の既存の接地電極などを利用して接地する構成であるから、ノイズ発生抑止手段は別途複雑な部品を必要とせず、低コストで生産できる。
【発明を実施するための最良の形態】
【００２０】
以下、本発明の実施の形態について、図面を参照して説明する。
【実施例１】
【００２１】
本発明の実施例１について図面を参照して説明する。図１及び図２は、実施例１のイオン発生装置を示し、図１は装置の内部構造を示す概略斜視図、図２はその断面図である。
【００２２】
このイオン発生装置は、上面に開口部を有するケース２と、このケース２の開口部に装着された電極パネル１と、この電極パネル１に高電圧を印加するためのトランスなどの電子部品４〜６を搭載しケース２内に収納された回路基板３と、電極パネル１の裏面に設けられた電極パネル１を加熱するヒーターとしての抵抗９とを備えている。
【００２３】
上記電極パネル１の表面には、その外周縁に沿って導電体からなる電極パネル側接地電極１３がループ状に設けられている。この電極パネル側接地電極１３は、例えば、帯状の銅箔をループ状に成形したものを接着剤１５で電極パネル１の表面に貼着することにより構成されている。なお、電極パネル側接地電極１３は、導電性を有しておればよく、上記したような銅箔に限るものではない。
【００２４】
このようになる電極パネル側接地電極１３は、ケース２内の回路基板３における既存の基板側接地電極１２と、接続線１４により電気的に接続されている。これにより、電極パネル側接地電極１３は、その電位が、接続線１４及び基板側接地電極１２を介してグランドレベルとされている。
【００２５】
なお、図中の符号７、８は、回路基板３と電極パネル１とを電気的に接続し、回路基板３上の電子部品４〜６によって発生させた高電圧を電極パネル１に印加するための各接続線を示す。符号１０、１１は、抵抗９に電流を供給するための各接続線を示す。
【００２６】
図３は実施例１のイオン発生装置の回路図である。イオン発生装置は、イオン発生素子１８と、電極パネル１に高電圧を印加するための放電電圧印加手段１９とから構成されている。イオン発生素子は、電極３４、３５からなる電極パネル１と、ヒーターとしての抵抗９と、電極パネル側接地電極１３とを備えたものである。
【００２７】
直流制限抵抗２０の一端は入力端子＋Ｖに接続されている。抵抗２０の他端はコンデンサ２１の一端に接続されている。コンデンサ２１の他端は接地端子ＧＮＤに接続されている。抵抗２０とコンデンサ２１の接続中点に抵抗２２の一端が接続されている。抵抗２２の他端は抵抗２３の一端に接続されている。抵抗２３の他端は接地端子ＧＮＤに接続されている。
【００２８】
抵抗２２、２３の接続中点はシャントレギュレータ２４の基準端子に接続されている。シャントレギュレータ２４のアノードは接地端子ＧＮＤに接続されている。シャントレギュレータ２４のカソードは抵抗２５を介してＰＮＰ形トランジスタ２６のベースに接続されている。トランジスタ２６のエミッタとベースは抵抗２７を介して接続されている。トランジスタ２６のエミッタは入力端子＋Ｖに接続されている。トランジスタ２６のコレクタは抵抗２８の一端に接続されている。
【００２９】
抵抗２８の他端は抵抗２９の一端に接続されている。抵抗２９の他端は接地端子ＧＮＤに接続されている。抵抗２９に並列にコンデンサ３０が接続されている。抵抗２８、２９の接続中点はサイリスタ３１のゲートに接続されている。サイリスタ３１のカソードは接地端子ＧＮＤに接続されている。
【００３０】
ダイオード３２のアノードは接地端子ＧＮＤに接続されている。ダイオード３２のカソードはサイリスタ３１のゲートに接続されている。サイリスタ３１のアノードは昇圧用のトランス３３の一次巻線３３ａの一端に接続されている。トランス３３の一次巻線３３ａの他端は抵抗２０とコンデンサ２１の接続中点に接続されている。
【００３１】
トランス３３の二次巻線３３ｂの一端は電極３４に接続されている。二次巻線３３ｂの他端は電極３５に接続されている。電極３４は格子状になっており、セラミックなどの誘電体の表面に設けられている。電極３５は平板であり、その誘電体の内部に設けられている。ヒーターとしての抵抗９の一端は入力端子＋Ｖに接続されている。抵抗９の他端は接地端子ＧＮＤに接続されている。電極パネル側接地電極１３は接続線１４及び基板側接地電極１２を介して接地端子ＧＮＤに接続されている。
【００３２】
電磁リレー３６のコイル３６ａの一端はリレー端子ＲＹＯＮに接続されている。コイル３６ａの他端は接地端子ＧＮＤに接続されている。電磁リレー３６の接点３６ｂは接地端子ＧＮＤとダイオード３７のカソードの間に介在している。ダイオード３７のアノードはトランス３３の二次巻線３３ｂの一端に接続されている。
【００３３】
続いてこの回路の動作を説明する。リレー端子ＲＹＯＮには電気信号が入力されず、接点３６ｂは開いているものとする。入力端子＋Ｖと接地端子ＧＮＤの間に１２Ｖなどの直流電圧が印加されたとき、電流Ｉが矢印に示すように直流制限抵抗２０からコンデンサ２１に流れ、コンデンサ２１が充電される。直流制限抵抗２０はコンデンサ２１に流れ込む電流Ｉが大きくなり過ぎるのを防止している。
【００３４】
コンデンサ２１の充電によりその両端に生じた電圧は抵抗２２と抵抗２３によって分圧される。分圧された電圧がシャントレギュレータ２４の基準電圧に達したとき、シャントレギュレータ２４がオンとなる。それによって抵抗２５と抵抗２７に電流が流れ、トランジスタ２６がオンする。
【００３５】
すると、抵抗２８を通してサイリスタ３１のゲートに直流電圧が印加され、サイリスタ３１がオンする。このとき、コンデンサ２１とトランス３３の一次巻線３３ａとサイリスタ３１の閉回路によってコンデンサ２１に充電されていた電荷が放電し、一次巻線３３ａにインパルス電圧が発生する。
【００３６】
トランス３３の二次巻線３３ｂにはトランス３３の昇圧作用によって高電圧が発生する。この高電圧が電極３４、３５の間に与えられ、電極３４、３５の間に放電が起こる。この放電によって電極パネル１から正負イオンが発生する。
【００３７】
二次巻線３３ｂと電極３４、３５は等価的にＬＣＲ振動回路と考えることができる。コンデンサ２１の放電により電極３４、３５の間には正負に数ｋＶ程度の減衰振動する高電圧が短期間加えられる。そのため、電極パネル１からは負イオンと正イオンがほぼ同量発生する。
【００３８】
抵抗２８、２９とコンデンサ３０はトランジスタ２６のオンオフのタイミングとサイリスタ３１のオンオフのタイミングを調整するための位相回路である。ダイオード３２はサイリスタ３１のゲートに逆電圧が印加されるのを防止するためのものである。
【００３９】
リレー端子ＲＹＯＮに一定の電圧が印加されると、電磁リレー３６のコイル３６ａが接点３６ｂを閉じる。トランス３３の二次巻線３３ｂの一端がダイオード３７を通して接地端子ＧＮＤに接続される。これによってトランス３３から電極３４には負の電圧が供給される。これにより、電極パネル１から負イオンが多量に発生する。また、抵抗９にも直流電圧が印加されるので、抵抗９に電流が流れ発熱する。これにより、電極パネル１が加熱され、空気中の湿気や電極パネル１の表面に生じる結露などによって正負イオンが発生しにくくなる現象が防止される。
【００４０】
このようになるイオン発生装置は、電源を投入することにより回路基板３の電子部品４〜６が高電圧を発生し、これが接続線７、８を介して電源パネル１に印加され、これによって電源パネル１が放電を起こし空気中に正負イオンを発生させる。
【００４１】
ここで、電極パネル側接地電極１３は、前述したように、基板側接地電極１２と接続線１４によって接続され、その電位がグランドレベルとされているため、電極パネル１から放電に伴って放射される電磁波が遮蔽されることとなり、ノイズの発生が抑止される。
【実施例２】
【００４２】
図４及び図５は、実施例２のイオン発生装置を示し、図４は装置の内部構造を示す概略斜視図、図５はその断面図である。
【００４３】
このイオン発生装置は、上面に開口部を有するケース２と、このケース２の開口部に装着された電極パネル１と、この電極パネル１に高電圧を印加するためのトランスなどの電子部品４〜６を搭載しケース２内に収納された回路基板３と、電極パネル１の裏面に設けられた電極パネル１を加熱するヒーターとしての抵抗９とを備えている。
【００４４】
上記電極パネル１の裏面には、その外周縁に沿って導電体からなる電極パネル側接地電極１３がループ状に設けられている。この電極パネル側接地電極１３は、例えば、帯状の銅箔をループ状に成形したものを接着剤１５で電極パネル１の裏面に貼着することにより構成されている。なお、電極パネル側接地電極１３は、導電性を有しておればよく、上記したような銅箔に限るものではない。
【００４５】
このようになる電極パネル側接地電極１３は、ケース２内の回路基板３における既存の基板側接地電極１２と、接続線１４により電気的に接続されている。これにより、電極パネル側接地電極１３は、その電位が、接続線１４及び基板側接地電極１２を介してグランドレベルとされている。
【００４６】
なお、図中の符号７、８は、回路基板３と電極パネル１とを電気的に接続し、回路基板３上の電子部品４〜６によって発生させた高電圧を電極パネル１に印加するための各接続線を示す。符号１０、１１は、抵抗９に電流を供給するための各接続線を示す。また、実施例２の回路は図３に示す回路と同じであるので、説明を省略する。
【００４７】
このようになるイオン発生装置は、電源を投入することにより回路基板３の電子部品４〜６が高電圧を発生し、これが接続線７、８を介して電源パネル１に印加され、これによって電源パネル１が放電を起こして空気中に正負イオンを発生させる。その間、抵抗９は発熱することで電極パネル１を加熱し、空気中の湿気や電極パネル１の表面に生じる結露などによって正負イオンが発生しにくくなる現象を防止する。
【００４８】
ここで、電極パネル側接地電極１３は、前述したように、基板側接地電極１２と接続線１４によって接続され、その電位がグランドレベルとされているため、電極パネル１から放電に伴って放射される電磁波が遮蔽されることとなり、ノイズの発生が抑止される。
【００４９】
また、電極パネル側接地電極１３が裏面にあるため、人が接触することができないようになっている。したがって、万一、イオン発生装置内で異常が発生し、電極パネル側接地電極１３に電圧が発生しても、感電事故が起こらないようになっている。
【実施例３】
【００５０】
図６及び図７は、実施例３のイオン発生装置を示し、図６は装置の内部構造を示す概略斜視図、図７はその断面図である。
【００５１】
このイオン発生装置は、上面に開口部を有するケース２と、このケース２の開口部に装着された電極パネル１と、この電極パネル１に高電圧を印加するためのトランスなどの電子部品４〜６を搭載しケース２内に収納された回路基板３と、電極パネル１の裏面に設けられた電極パネル１を加熱するヒーターとしての抵抗９とを備えている。
【００５２】
上記電極パネル１の表面には、その外周縁に沿って導電体からなる電極パネル側接地電極１３がループ状に設けられている。この電極パネル側接地電極１３は、例えば、銅箔を電極パネル１に印刷することによってループ状に成形されている。なお、電極パネル側接地電極１３は、導電性を有しておればよく、上記したような銅箔に限るものではない。
【００５３】
このようになる電極パネル側接地電極１３は、ケース２内の回路基板３における既存の基板側接地電極１２と、接続線１４により電気的に接続されている。これにより、電極パネル側接地電極１３は、その電位が、接続線１４及び基板側接地電極１２を介してグランドレベルとされている。
【００５４】
なお、図中の符号７、８は、回路基板３と電極パネル１とを電気的に接続し、回路基板３上の電子部品４〜６によって発生させた高電圧を電極パネル１に印加するための各接続線を示す。符号１０、１１は、抵抗９に電流を供給するための各接続線を示す。また、実施例３の回路は図３に示す回路と同じであるので、説明を省略する。
【００５５】
このようになるイオン発生装置は、電源を投入することにより回路基板３の電子部品４〜６が高電圧を発生し、これが接続線７、８を介して電源パネル１に印加され、これによって電源パネル１が放電を起こして空気中に正負イオンを発生させる。その間、抵抗９は発熱することで電極パネル１を加熱し、空気中の湿気や電極パネル１の表面に生じる結露などによって正負イオンが発生しにくくなる現象を防止する。
【００５６】
ここで、電極パネル側接地電極１３は、前述したように、基板側接地電極１２と接続線１４によって接続され、その電位がグランドレベルとされているため、電極パネル１から放電に伴って放射される電磁波が遮蔽されることとなり、ノイズの発生が抑止される。また、電極パネル側接地電極１３は印刷によって電極パネル１に設けているので、電極パネル側接地電極１３を接着剤で貼り付ける作業がなく生産作業の効率が良い。
【実施例４】
【００５７】
図８及び図９は、実施例４のイオン発生装置を示し、図８は装置の内部構造を示す概略斜視図、図９はその断面図である。
【００５８】
このイオン発生装置は、上面に開口部を有するケース２と、このケース２の開口部に装着された電極パネル１と、この電極パネル１に高電圧を印加するためのトランスなどの電子部品４〜６を搭載しケース２内に収納された回路基板３と、電極パネル１の裏面に設けられた電極パネル１を加熱するヒーターとしての抵抗９とを備えている。
【００５９】
上記電極パネル１の裏面には、その外周縁に沿って導電体からなる電極パネル側接地電極１３がループ状に設けられている。この電極パネル側接地電極１３は、例えば、銅箔を電極パネル１に印刷することによってループ状に成形されている。なお、電極パネル側接地電極１３は、導電性を有しておればよく、上記したような銅箔に限るものではない。
【００６０】
このようになる電極パネル側接地電極１３は、ケース２内の回路基板３における既存の基板側接地電極１２と、接続線１４により電気的に接続されている。これにより、電極パネル側接地電極１３は、その電位が、接続線１４及び基板側接地電極１２を介してグランドレベルとされている。
【００６１】
なお、図中の符号７、８は、回路基板３と電極パネル１とを電気的に接続し、回路基板３上の電子部品４〜６によって発生させた高電圧を電極パネル１に印加するための各接続線を示す。符号１０、１１は、抵抗９に電流を供給するための各接続線を示す。また、実施例４の回路は図３に示す回路と同じであるので、説明を省略する。
【００６２】
このようになるイオン発生装置は、電源を投入することにより回路基板３の電子部品４〜６が高電圧を発生し、これが接続線７、８を介して電源パネル１に印加され、これによって電源パネル１が放電を起こして空気中に正負イオンを発生させる。その間、抵抗９は発熱することで電極パネル１を加熱し、空気中の湿気や電極パネル１の表面に生じる結露などによって正負イオンが発生しにくくなる現象を防止する。
【００６３】
ここで、電極パネル側接地電極１３は、前述したように、基板側接地電極１２と接続線１４によって接続され、その電圧がグランドレベルとされているため、電極パネル１から放電に伴って放射される電磁波が遮蔽されることとなり、ノイズの発生が抑止される。
【００６４】
また、電極パネル側接地電極１３を印刷によって設けているので、電極パネル側接地電極１３を接着剤で貼り付ける作業がなく生産作業の効率が良い。また、電極パネル側接地電極１３が裏面にあるため、人が接触することができないようになっている。したがって、万一、イオン発生装置内で異常が発生し、電極パネル側接地電極１３に電圧が発生しても、感電事故が起こらないようになっている。
【実施例５】
【００６５】
図１０及び図１１は、実施例５のイオン発生装置を示し、図１０は装置の内部構造を示す概略斜視図、図１１はその断面図である。
【００６６】
このイオン発生装置は、上面に開口部を有するケース２と、このケース２の開口部に装着された電極パネル１と、この電極パネル１に高電圧を印加するためのトランスなどの電子部品４〜６を搭載しケース２内に収納された回路基板３と、電極パネル１の裏面に設けられた電極パネル１を加熱するヒーターとしての抵抗９とを備えている。抵抗９の両端はヒーター抵抗用電極３８、３９に接続されている。ヒーター抵抗用電極３８、３９は回路基板３に接続線１０、１１でそれぞれ接続されている。これらの電極３８、３９のうちヒーター抵抗用電極３８が接地される。
【００６７】
上記電極パネル１の表面には、その外周縁に沿って導電体からなる電極パネル側接地電極１３がループ状に設けられている。この電極パネル側接地電極１３は、例えば、帯状の銅箔をループ状に成形したものを接着剤１５で電極パネル１の表面に貼着することにより構成されている。なお、電極パネル側接地電極１３は、導電性を有しておればよく、上記したような銅箔に限るものではない。
【００６８】
このようになる電極パネル側接地電極１３は、既存のヒーター抵抗用接地電極３８に、接続線４０により電気的に接続されている。これにより、電極パネル側接地電極１３は、その電位がグランドレベルとされている。
【００６９】
なお、図中の符号７、８は、回路基板３と電極パネル１とを電気的に接続し、回路基板３上の電子部品４〜６によって発生させた高電圧を電極パネル１に印加するための各接続線を示す。また、実施例５の回路は図３に示す回路と、電極パネル側接地電極１３が抵抗９のヒーター抵抗用接地電極３８に接続線４０で接続されている点を除き同じであるので、説明を省略する。
【００７０】
このようになるイオン発生装置は、電源を投入することにより回路基板３の電子部品４〜６が高電圧を発生し、これが接続線７、８を介して電源パネル１に印加され、これによって電源パネル１が放電を起こして空気中に正負イオンを発生させる。その間、抵抗９は発熱することで電極パネル１を加熱し、空気中の湿気や電極パネル１の表面に生じる結露などによって正負イオンが発生しにくくなる現象を防止する。
【００７１】
ここで、電極パネル側接地電極１３は、前述したように、ヒーター抵抗用接地電極３８と接続線４０によって接続され、その電位がグランドレベルとされているため、電極パネル１から放電に伴って放射される電磁波が遮蔽されることとなり、ノイズの発生が抑止される。
【実施例６】
【００７２】
図１２及び図１３は、実施例６のイオン発生装置を示し、図１２は装置の内部構造を示す概略斜視図、図１３はその断面図である。
【００７３】
このイオン発生装置は、上面に開口部を有するケース２と、このケース２の開口部に装着された電極パネル１と、この電極パネル１に高電圧を印加するためのトランスなどの電子部品４〜６を搭載しケース２内に収納された回路基板３と、電極パネル１の裏面に設けられた電極パネル１を加熱するヒーターとしての抵抗９とを備えている。抵抗９の両端はヒーター抵抗用電極３８、３９に接続されている。ヒーター抵抗用電極３８、３９は回路基板３に接続線１０、１１でそれぞれ接続されている。これらの電極３８、３９のうちヒーター抵抗用電極３８が接地される。
【００７４】
上記電極パネル１の裏面には、その外周縁に沿って導電体からなる電極パネル側接地電極１３がループ状に設けられている。この電極パネル側接地電極１３は、例えば、帯状の銅箔をループ状に成形したものを接着剤１５で電極パネル１の裏面に貼着することにより構成されている。なお、電極パネル側接地電極１３は、導電性を有しておればよく、上記したような銅箔に限るものではない。
【００７５】
このようになる電極パネル側接地電極１３は、既存のヒーター抵抗用接地電極３８に、電気的に接続されている。これにより、電極パネル側接地電極１３は、その電位がグランドレベルとされている。
【００７６】
なお、図中の符号７、８は、回路基板３と電極パネル１とを電気的に接続し、回路基板３上の電子部品４〜６によって発生させた高電圧を電極パネル１に印加するための各接続線を示す。また、実施例５の回路は図３に示す回路と、電極パネル側接地電極１３が抵抗９のヒーター抵抗用接地電極３８に接続されている点を除き同じであるので、説明を省略する。
【００７７】
このようになるイオン発生装置は、電源を投入することにより回路基板３の電子部品４〜６が高電圧を発生し、これが接続線７、８を介して電源パネル１に印加され、これによって電源パネル１が放電を起こして空気中に正負イオンを発生させる。その間、抵抗９は発熱することで電極パネル１を加熱し、空気中の湿気や電極パネル１の表面に生じる結露などによって正負イオンが発生しにくくなる現象を防止する。
【００７８】
ここで、電極パネル側接地電極１３は、前述したように、ヒーター抵抗用接地電極３８に接続され、その電位がグランドレベルとされているため、電極パネル１から放電に伴って放射される電磁波が遮蔽されることとなり、ノイズの発生が抑止される。
【００７９】
また、電極パネル側接地電極１３が裏面にあるため、人が接触することができないようになっている。したがって、万一、イオン発生装置内で異常が発生し、電極パネル側接地電極１３に電圧が発生しても、感電事故が起こらないようになっている。
【実施例７】
【００８０】
図１４及び図１５は、実施例７のイオン発生装置を示し、図１４は装置の内部構造を示す概略斜視図、図１５はその断面図である。
【００８１】
このイオン発生装置は、上面に開口部を有するケース２と、このケース２の開口部に装着された電極パネル１と、この電極パネル１に高電圧を印加するためのトランスなどの電子部品４〜６を搭載しケース２内に収納された回路基板３と、電極パネル１の裏面に設けられた電極パネル１を加熱するヒーターとしての抵抗９とを備えている。抵抗９の両端はヒーター抵抗用電極３８、３９に接続されている。ヒーター抵抗用電極３８、３９は回路基板３に接続線１０、１１でそれぞれ接続されている。これらの電極３８、３９のうちヒーター抵抗用電極３８が接地される。
【００８２】
上記電極パネル１の表面には、その外周縁に沿って導電体からなる電極パネル側接地電極１３がループ状に設けられている。この電極パネル側接地電極１３は、例えば、銅箔を電極パネル１に印刷することによってループ状に成形されている。なお、電極パネル側接地電極１３は、導電性を有しておればよく、上記したような銅箔に限るものではない。
【００８３】
このようになる電極パネル側接地電極１３は、既存のヒーター抵抗用接地電極３８に、接続線４０により電気的に接続されている。これにより、電極パネル側接地電極１３は、その電位がグランドレベルとされている。
【００８４】
なお、図中の符号７、８は、回路基板３と電極パネル１とを電気的に接続し、回路基板３上の電子部品４〜６によって発生させた高電圧を電極パネル１に印加するための各接続線を示す。また、実施例５の回路は図３に示す回路と、電極パネル側接地電極１３が抵抗９のヒーター抵抗用接地電極３８に接続線４０で接続されている点を除き同じであるので、説明を省略する。
【００８５】
このようになるイオン発生装置は、電源を投入することにより回路基板３の電子部品４〜６が高電圧を発生し、これが接続線７、８を介して電源パネル１に印加され、これによって電源パネル１が放電を起こして空気中に正負イオンを発生させる。その間、抵抗９は発熱することで電極パネル１を加熱し、空気中の湿気や電極パネル１の表面に生じる結露などによって正負イオンが発生しにくくなる現象を防止する。
【００８６】
ここで、電極パネル側接地電極１３は、前述したように、ヒーター抵抗用接地電極３８と接続線４０によって接続され、その電位がグランドレベルとされているため、電極パネル１から放電に伴って放射される電磁波が遮蔽されることとなり、ノイズの発生が抑止される。また、電極パネル側接地電極１３を印刷によって設けているので、電極パネル側接地電極１３を接着剤で貼り付ける作業がなく生産作業の効率が良い。
【実施例８】
【００８７】
図１６及び図１７は、実施例８のイオン発生装置を示し、図１６は装置の内部構造を示す概略斜視図、図１７はその断面図である。
【００８８】
このイオン発生装置は、上面に開口部を有するケース２と、このケース２の開口部に装着された電極パネル１と、この電極パネル１に高電圧を印加するためのトランスなどの電子部品４〜６を搭載しケース２内に収納された回路基板３と、電極パネル１の裏面に設けられた電極パネル１を加熱するヒーターとしての抵抗９とを備えている。抵抗９の両端はヒーター抵抗用電極３８、３９に接続されている。ヒーター抵抗用電極３８、３９は回路基板３に接続線１０、１１でそれぞれ接続されている。これらの電極３８、３９のうちヒーター抵抗用電極３８が接地される。
【００８９】
上記電極パネル１の裏面には、その外周縁に沿って導電体からなる電極パネル側接地電極１３がループ状に設けられている。この電極パネル側接地電極１３は、例えば、銅箔を電極パネル１に印刷することによってループ状に成形されている。なお、電極パネル側接地電極１３は、導電性を有しておればよく、上記したような銅箔に限るものではない。
【００９０】
このようになる電極パネル側接地電極１３は、既存のヒーター抵抗用接地電極３８に、電気的に接続されている。これにより、電極パネル側接地電極１３は、その電位がグランドレベルとされている。
【００９１】
なお、図中の符号７、８は、回路基板３と電極パネル１とを電気的に接続し、回路基板３上の電子部品４〜６によって発生させた高電圧を電極パネル１に印加するための各接続線を示す。また、実施例５の回路は図３に示す回路と、電極パネル側接地電極１３が抵抗９のヒーター抵抗用接地電極３８に接続されている点を除き同じであるので、説明を省略する。
【００９２】
このようになるイオン発生装置は、電源を投入することにより回路基板３の電子部品４〜６が高電圧を発生し、これが接続線７、８を介して電源パネル１に印加され、これによって電源パネル１が放電を起こして空気中に正負イオンを発生させる。その間、抵抗９は発熱することで電極パネル１を加熱し、空気中の湿気や電極パネル１の表面に生じる結露などによって正負イオンが発生しにくくなる現象を防止する。
【００９３】
ここで、電極パネル側接地電極１３は、前述したように、ヒーター抵抗用接地電極３８に接続され、その電位がグランドレベルとされているため、電極パネル１から放電に伴って放射される電磁波が遮蔽されることとなり、ノイズの発生が抑止される。
【００９４】
また、電極パネル側接地電極１３が裏面にあるため、人が接触することができないようになっている。したがって、万一、イオン発生装置内で異常が発生し、電極パネル側接地電極１３に電圧が発生しても、感電事故が起こらないようになっている。また、電極パネル側接地電極１３を印刷によって設けているので、電極パネル側接地電極１３を接着剤で貼り付ける作業がなく生産作業の効率が良い。
【図面の簡単な説明】
【００９５】
【図１】本発明の実施例１のイオン発生装置の内部構造を示す概略斜視図である。
【図２】そのイオン発生装置の断面図である。
【図３】そのイオン発生装置の回路図である。
【図４】本発明の実施例２のイオン発生装置の内部構造を示す概略斜視図である。
【図５】そのイオン発生装置の断面図である。
【図６】本発明の実施例３のイオン発生装置の内部構造を示す概略斜視図である。
【図７】そのイオン発生装置の断面図である。
【図８】本発明の実施例４のイオン発生装置の内部構造を示す概略斜視図である。
【図９】そのイオン発生装置の断面図である。
【図１０】本発明の実施例５のイオン発生装置の内部構造を示す概略斜視図である。
【図１１】そのイオン発生装置の断面図である。
【図１２】本発明の実施例６のイオン発生装置の内部構造を示す概略斜視図である。
【図１３】そのイオン発生装置の断面図である。
【図１４】本発明の実施例７のイオン発生装置の内部構造を示す概略斜視図である。
【図１５】そのイオン発生装置の断面図である。
【図１６】本発明の実施例８のイオン発生装置の内部構造を示す概略斜視図である。
【図１７】そのイオン発生装置の断面図である。
【図１８】従来のイオン発生装置の内部構造を示す概略斜視図である。
【図１９】そのイオン発生装置の断面図である。
【符号の説明】
【００９６】
１      電極パネル
２      ケース
３      回路基板
４、５、６電子部品
７、８      接続線
９      抵抗（ヒーター）
１０、１１      接続線
１２      基板側接地電極
１３      銅箔（電極パネル側接地電極）
１４      接続線
１５      接着剤
１８      イオン発生素子
１９      放電電圧印加手段
２０      直流制限抵抗
２１      コンデンサ
２４      シャントレギュレータ
３１      サイリスタ
３３      トランス
３６      電磁リレー
３８      ヒーター抵抗用接地電極
４０      接続線
【図１】
2006073474.tif 000003
【図２】
2006073474.tif 000004
【図３】
2006073474.tif 000005
【図４】
2006073474.tif 000006
【図５】
2006073474.tif 000007
【図６】
2006073474.tif 000008
【図７】
2006073474.tif 000009
【図８】
2006073474.tif 000010
【図９】
2006073474.tif 000011
【図１０】
2006073474.tif 000012
【図１１】
2006073474.tif 000013
【図１２】
2006073474.tif 000014
【図１３】
2006073474.tif 000015
【図１４】
2006073474.tif 000016
【図１５】
2006073474.tif 000017
【図１６】
2006073474.tif 000018
【図１７】
2006073474.tif 000019
【図１８】
2006073474.tif 000020
【図１９】
2006073474.tif 000021